(57)【特許請求の範囲】
【請求項１】
物体側から順に、正の屈折力を有する第１レンズ、正の屈折力を有する第２レンズ、負の屈折力を有する第３レンズ、正の屈折力を有する第４レンズ、負の屈折力を有する第５レンズ、正の屈折力を有する第６レンズ、正又は負の屈折力を有する第７レンズ、負の屈折力を有する第８レンズからなり、且つ、以下の条件式（１）、（２）及び（６）を満足することを特徴とする撮像レンズ。
１．７０≦ｎｄ２≦１．８０                            （１）
４０．００≦ν２≦５０．００                          （２）
０．００５≦ｄ４／ｆ≦０．０１０                      （６）
但し、
ｎｄ２：第２レンズのｄ線の屈折率
ν２：第２レンズのアッベ数
ｆ：撮像レンズ全体の焦点距離
ｄ４：第２レンズの像面側面から第３レンズの物体側面までの軸上距離
である。
【請求項２】
以下の条件式（３）を満足することを特徴とする請求項１に記載の撮像レンズ。
４．００≦（ｄ１＋ｄ３）／ｄ２≦１２．００            （３）
但し、
ｄ１：第１レンズの中心厚
ｄ２：第１レンズの像面側面から第２レンズの物体側面までの軸上距離
ｄ３：第２レンズの中心厚
である。
【請求項３】
以下の条件式（４）を満足することを特徴とする請求項１に記載の撮像レンズ。
０．３０≦Ｒ３／Ｒ４≦０．５０                        （４）
但し、
Ｒ３：第２レンズの物体側面の曲率半径
Ｒ４：第２レンズの像面側面の曲率半径
である。
【請求項４】
以下の条件式（５）を満足することを特徴とする請求項１に記載の撮像レンズ。
３．００≦｜Ｒ５／Ｒ６｜≦１５．００                  （５）
但し、
Ｒ５：第３レンズの物体側面の曲率半径
Ｒ６：第３レンズの像面側面の曲率半径
である。
【発明の詳細な説明】
【技術分野】
【０００１】
本発明は、撮像レンズに関する発明である。特に、高画素用ＣＣＤ、ＣＭＯＳなどの撮像素子を使用した携帯用モジュールカメラ、ＷＥＢカメラなどに好適な、ＴＴＬ（光学長）／ＩＨ（像高）＜１．３５と低背で、全画角（以下、２ωとする）が、８０°以上の広角で、且つ、良好な光学特性を有する８枚のレンズで構成される撮像レンズに関する発明である。
【背景技術】
【０００２】
近年、ＣＣＤやＣＭＯＳなどの撮像素子を使用した各種撮像装置が広く普及している。これらの撮像素子の小型化、高性能化に伴い、低背、広角で、且つ、良好な光学特性を有する撮像レンズが求められている。
【０００３】
低背、広角で、且つ、良好な光学特性を有する８枚のレンズで構成される撮像レンズに関する技術開発が進められている。この８枚構成の撮像レンズとしては、物体側から順に、正の屈折力を有する第１レンズ、正の屈折力を有する第２レンズ、負の屈折力を有する第３レンズ、正の屈折力を有する第４レンズ、負の屈折力を有する第５レンズ、正の屈折力を有する第６レンズ、負の屈折力を有する第７レンズ、負の屈折力を有する第８レンズが配置されたものが、特許文献１が提案されている。
【０００４】
特許文献１の実施例４、５、６に開示された撮像レンズは、第２レンズＬ２のｄ線の屈折率と第２レンズのアッベ数が不十分な為に、低背化及び、広角化が不十分であった。
【先行技術文献】
【特許文献】
【０００５】
【特許文献１】特開２０１７−１１６５９４号公報
【発明の概要】
【発明が解決しようとする課題】
【０００６】
本発明の目的は、低背、広角で、且つ、良好な光学特性を有する８枚のレンズで構成される撮像レンズを提供することにある。
【課題を解決するための手段】
【０００７】
上記目標を達成するために、各レンズのパワー配置、第２レンズＬ２のｄ線の屈折率と第２レンズのアッベ数を鋭意検討した結果、従来技術の課題が改善された撮像レンズを得ることを見出し、本発明に到達した。
【０００８】
請求項１記載の撮像レンズは、物体側から順に、物体側から順に、正の屈折力を有する第１レンズ、正の屈折力を有する第２レンズ、負の屈折力を有する第３レンズ、正の屈折力を有する第４レンズ、負の屈折力を有する第５レンズ、正の屈折力を有する第６レンズ、正又は負の屈折力を有する第７レンズ、負の屈折力を有する第８レンズが配置され、且つ、以下の条件式（１）、（２）を満足する。
１．７０≦ｎｄ２≦１．８０                            （１）
４０．００≦ν２≦５０．００                          （２）
但し、
ｎｄ２：第２レンズのｄ線の屈折率
ν２：第２レンズのアッベ数
である。
【０００９】
請求項２記載の撮像レンズは、請求項１記載の撮像レンズにおいて、以下の条件式（３）を満足する。
４．００≦（ｄ１＋ｄ３）／ｄ２≦１２．００            （３）
但し、
ｄ１：第１レンズの中心厚
ｄ２：第１レンズの像面側面から第２レンズの物体側面までの軸上距離
ｄ３：第２レンズの中心厚
である。
【００１０】
請求項３記載の撮像レンズは、請求項１記載の撮像レンズにおいて、以下の条件式（４）を満足する。
０．３０≦Ｒ３／Ｒ４≦０．５０                        （４）
但し、
Ｒ３：第２レンズの物体側面の曲率半径
Ｒ４：第２レンズの像面側面の曲率半径
である。
【００１１】
請求項４記載の撮像レンズは、請求項１記載の撮像レンズにおいて、以下の条件式（５）を満足する。
３．００≦｜Ｒ５／Ｒ６｜≦１５．００                  （５）
但し、
Ｒ５：第３レンズの物体側面の曲率半径
Ｒ６：第３レンズの像面側面の曲率半径
である。
【００１２】
請求項５記載の撮像レンズは、請求項１記載の撮像レンズにおいて、以下の条件式（６）を満足する。
０．００５≦ｄ４／ｆ≦０．０１０                      （６）
但し、
ｆ：撮像レンズ全体の焦点距離
ｄ４：第２レンズの像面側面から第３レンズの物体側面までの軸上距離
である。
【発明の効果】
【００１３】
本発明によれば、特に、高画素用ＣＣＤ、ＣＭＯＳなどの撮像素子を使用した携帯用モジュールカメラ、ＷＥＢカメラなどに好適な、ＴＴＬ（光学長）／ＩＨ（像高）＜１．３５と低背で、２ω＞８０°以上の広角で、且つ、良好な光学特性を有する８枚のレンズで構成される撮像レンズを提供することができる。
【図面の簡単な説明】
【００１４】
【図１】本発明の実施例１の撮像レンズＬＡの概略構成を示す図。
【図２】本発明の実施例１の撮像レンズＬＡの球面収差、像面湾曲、歪曲収差を示す図。
【図３】本発明の実施例２の撮像レンズＬＡの概略構成を示す図。
【図４】本発明の実施例２の撮像レンズＬＡの球面収差、像面湾曲、歪曲収差を示す図。
【図５】本発明の実施例３の撮像レンズＬＡの概略構成を示す図。
【図６】本発明の実施例３の撮像レンズＬＡの球面収差、像面湾曲、歪曲収差を示す図。
【図７】本発明の実施例４の撮像レンズＬＡの概略構成を示す図。
【図８】本発明の実施例４の撮像レンズＬＡの球面収差、像面湾曲、歪曲収差を示す図。
【発明を実施するための形態】
【００１５】
本発明に係る撮像レンズの実施形態について説明する。この撮像レンズＬＡは、物体側から像面側へ向かって、第１レンズＬ１、第２レンズＬ２、第３レンズＬ３、第４レンズＬ４、第５レンズＬ５、第６レンズＬ６、第７レンズＬ７、第８レンズＬ８が配置された８枚構成のレンズ系を備えている。第８レンズＬ８と像面との間に、ガラス平板ＧＦが配置される。このガラス平板ＧＦとしては、カバーガラス、及び、各種フィルターなどを想定したものである。本発明において、ガラス平板ＧＦは、異なる位置に配置されてもよく、省略した構成も可能である。
【００１６】
第１レンズＬ１は、正の屈折力を有するレンズであり、第２レンズＬ２は、正の屈折力を有するレンズであり、第３レンズＬ３は、負の屈折力を有するレンズであり、第４レンズＬ４は、正の屈折力を有するレンズであり、第５レンズＬ５は、負の屈折力を有するレンズであり、第６レンズＬ６は、正の屈折力を有するレンズであり、第７レンズＬ７は、正又は負の屈折力を有するレンズであり、第８レンズＬ８は、負の屈折力を有するレンズである。これらの８枚のレンズ表面は、諸収差を良好に補正するため、全面を非球面形状とすることが望ましい。
【００１７】
この撮像レンズＬＡは、以下の条件式（１）及び（２）を満足する。
１．７０≦ｎｄ２≦１．８０                            （１）
４０．００≦ν２≦５０．００                          （２）
但し、
ｎｄ２：第２レンズＬ２のｄ線の屈折率
ν２：第２レンズのアッベ数
である。
【００１８】
条件式（１）、及び、（２）は、第２レンズＬ２のｄ線の屈折率ｎｄ２、及び、第２レンズのアッベ数ν２を規定するものである。条件式（１）、及び、（２）の範囲外では、広角、低背化に伴い、軸上、軸外の色収差の補正が困難となり、好ましくない。
【００１９】
この撮像レンズＬＡは、以下の条件式（３）を満足する。
４．００≦（ｄ１＋ｄ３）／ｄ２≦１２．００            （３）
但し、
ｄ１：第１レンズの中心厚
ｄ２：第１レンズの像面側面から第２レンズの物体側面までの軸上距離
ｄ３：第２レンズの中心厚
である。
【００２０】
条件式（３）は、第１レンズＬ１の中心厚、第２レンズＬ２の中心厚、及び、第１レンズＬ１像面側面から第２レンズＬ２の物体側面までの軸上距離の関係を規定するものである。条件式（３）の範囲内では、良好な光学特性を有しての広角、低背化が容易となり、好ましい。
【００２１】
この撮像レンズＬＡは、以下の条件式（４）を満足する。
０．３０≦Ｒ３／Ｒ４≦０．５０                        （４）
但し、
Ｒ３：第２レンズの物体側面の曲率半径
Ｒ４：第２レンズの像面側面の曲率半径
である。
【００２２】
条件式（４）は、第２レンズＬ２の物体側面の曲率半径Ｒ３と第２レンズＬ２の像面側面の曲率半径Ｒ４の比を規定するものである。条件式（４）の範囲内では、良好な光学特性を有しての広角、低背化が容易となり、好ましい。
【００２３】
この撮像レンズＬＡは、以下の条件式（５）を満足する。
３．００≦｜Ｒ５／Ｒ６｜≦１５．００                  （５）
但し、
Ｒ５：第３レンズの物体側面の曲率半径
Ｒ６：第３レンズの像面側面の曲率半径
である。
【００２４】
条件式（５）は、第３レンズＬ３の物体側面の曲率半径Ｒ５と第３レンズＬ３の像面側面の曲率半径Ｒ６の比を規定するものである。条件式（５）の範囲内では、良好な光学特性を有しての広角、低背化が容易となり、好ましい。
【００２５】
この撮像レンズＬＡは、以下の条件式（６）を満足する。
０．００５≦ｄ４／ｆ≦０．０１０                      （６）
但し、
ｆ：撮像レンズ全体の焦点距離
ｄ４：第２レンズの像面側面から第３レンズの物体側面までの軸上距離
である。
【００２６】
条件式（６）は、第２レンズＬ２像面側面から第３レンズＬ３の物体側面までの軸上距離と撮像レンズ全体の焦点距離ｆの比を規定するものである。条件式（６）の範囲内では、良好な光学特性を有しての広角、低背化が容易となり、好ましい。
【００２７】
撮像レンズＬＡを構成する８枚レンズが、それぞれ前記の構成及び、条件式を満たすことにより、ＴＴＬ（光学長）／ＩＨ（像高）＜１．３５と低背で、２ω＞８０°以上の広角で、且つ、良好な光学特性を有する８枚のレンズで構成される撮像レンズを得ることが可能となる。
【実施例】
【００２８】
以下に、本発明の撮像レンズＬＡについて、実施例を用いて説明する。各実施例に記載されている記号は以下のことを示す。なお、距離、半径及び中心厚の単位は、ｍｍである。
ｆ      ：撮像レンズＬＡ全体の焦点距離
ｆ１    ：第１レンズＬ１の焦点距離
ｆ２    ：第２レンズＬ２の焦点距離
ｆ３    ：第３レンズＬ３の焦点距離
ｆ４    ：第４レンズＬ４の焦点距離
ｆ５    ：第５レンズＬ５の焦点距離
ｆ６    ：第６レンズＬ６の焦点距離
ｆ７    ：第７レンズＬ７の焦点距離
ｆ８    ：第８レンズＬ８の焦点距離
Ｆｎｏ  ：Ｆ値
２ω    ：全画角
Ｓｔｏｐ：開口絞り
Ｒ      ：光学面の曲率半径、レンズの場合は中心曲率半径
Ｒ１    ：第１レンズＬ１の物体側面の曲率半径
Ｒ２    ：第１レンズＬ１の像面側面の曲率半径
Ｒ３    ：第２レンズＬ２の物体側面の曲率半径
Ｒ４    ：第２レンズＬ２の像面側面の曲率半径
Ｒ５    ：第３レンズＬ３の物体側面の曲率半径
Ｒ６    ：第３レンズＬ３の像面側面の曲率半径
Ｒ７    ：第４レンズＬ４の物体側面の曲率半径
Ｒ８    ：第４レンズＬ４の像面側面の曲率半径
Ｒ９    ：第５レンズＬ５の物体側面の曲率半径
Ｒ１０  ：第５レンズＬ５の像面側面の曲率半径
Ｒ１１  ：第６レンズＬ６の物体側面の曲率半径
Ｒ１２  ：第６レンズＬ６の像面側面の曲率半径
Ｒ１３  ：第７レンズＬ７の物体側面の曲率半径
Ｒ１４  ：第７レンズＬ７の像面側面の曲率半径
Ｒ１５  ：第８レンズＬ８の物体側面の曲率半径
Ｒ１６  ：第８レンズＬ８の像面側面の曲率半径
Ｒ１７  ：ガラス平板ＧＦの物体側面の曲率半径
Ｒ１８  ：ガラス平板ＧＦの像面側面の曲率半径
ｄ      ：レンズの中心厚、又は、レンズ間距離
ｄ０    ：開口絞りＳ１から第１レンズＬ１の物体側面までの軸上距離
ｄ１    ：第１レンズＬ１の中心厚
ｄ２    ：第１レンズＬ１の像面側面から第２レンズＬ２の物体側面までの軸上距離
ｄ３    ：第２レンズＬ２の中心厚
ｄ４    ：第２レンズＬ２の像面側面から第３レンズＬ３の物体側面までの軸上距離
ｄ５    ：第３レンズＬ３の中心厚
ｄ６    ：第３レンズＬ３の像面側面から第４レンズＬ４の物体側面までの軸上距離
ｄ７    ：第４レンズＬ４の中心厚
ｄ８    ：第４レンズＬ４の像面側面から第５レンズＬ５の物体側面までの軸上距離
ｄ９    ：第５レンズＬ５の中心厚
ｄ１０  ：第５レンズＬ５の像面側面から第６レンズＬ６の物体側面までの軸上距離
ｄ１１  ：第６レンズＬ６の中心厚
ｄ１２  ：第６レンズＬ６の像面側面から第７レンズＬ７の物体側面までの軸上距離
ｄ１３  ：第７レンズＬ７の中心厚
ｄ１４  ：第７レンズＬ７の像面側面から第８レンズＬ８の物体側面までの軸上距離
ｄ１５  ：第８レンズＬ８の中心厚
ｄ１６  ：第８レンズＬ８の像面側面からガラス平板ＧＦの物体側面までの軸上距離
ｄ１７  ：ガラス平板ＧＦの中心厚
ｄ１８  ：ガラス平板ＧＦの像面側面から像面までの軸上距離
ｎｄ    ：ｄ線の屈折率
ｎｄ１  ：第１レンズＬ１のｄ線の屈折率
ｎｄ２  ：第２レンズＬ２のｄ線の屈折率
ｎｄ３  ：第３レンズＬ３のｄ線の屈折率
ｎｄ４  ：第４レンズＬ４のｄ線の屈折率
ｎｄ５  ：第５レンズＬ５のｄ線の屈折率
ｎｄ６  ：第６レンズＬ６のｄ線の屈折率
ｎｄ７  ：第７レンズＬ７のｄ線の屈折率
ｎｄ８  ：第８レンズＬ８のｄ線の屈折率
ｎｄｇ  ：ガラス平板ＧＦのｄ線の屈折率
ν      ：アッベ数
ν１    ：第１レンズＬ１のアッベ数
ν２    ：第２レンズＬ２のアッベ数
ν３    ：第３レンズＬ３のアッベ数
ν４    ：第４レンズＬ４のアッベ数
ν５    ：第５レンズＬ５のアッベ数
ν６    ：第６レンズＬ６のアッベ数
ν７    ：第７レンズＬ７のアッベ数
ν８    ：第８レンズＬ８のアッベ数
νｇ    ：ガラス平板ＧＦのアッベ数
ＴＴＬ  ：光学長（第１レンズＬ１の物体側面から像面までの軸上距離）
ＬＢ    ：第８レンズＬ８の像面側面から像面までの軸上距離（ガラス平板ＧＦの厚み含む）
【００２９】
ｙ＝（ｘ２／Ｒ）／[１＋｛１−（ｋ＋１）（ｘ２／Ｒ２）｝１／２]
＋Ａ４ｘ４＋Ａ６ｘ６＋Ａ８ｘ８＋Ａ１０ｘ１０＋Ａ１２ｘ１２＋Ａ１４ｘ１４
＋Ａ１６ｘ１６＋Ａ１８ｘ１８＋Ａ２０ｘ２０    （７）
【００３０】
各レンズ面の非球面は、便宜上、式（７）で表される非球面を使用している。しかしながら、特に、この式（７）の非球面多項式に限定するものではない。
【００３１】
（実施例１）
図１は、実施例１の撮像レンズＬＡの配置を示す構成図である。実施例１の撮像レンズＬＡを構成する第１レンズＬ１〜第８レンズＬ８のそれぞれの物体側及び像面側の曲率半径Ｒ、レンズ中心厚又はレンズ間距離ｄ、屈折率ｎｄ、アッベ数νを表１に、円錐係数ｋ、非球面係数を表２に、２ω、Ｆｎｏ、ｆ、ｆ１、ｆ２、ｆ３、ｆ４、ｆ５、ｆ６、ｆ７、ｆ８、ＴＴＬ、ＩＨを表３に示す。
【００３２】
【表１】
0006805381.tif 000002
【００３３】
【表２】
0006805381.tif 000003
【００３４】
【表３】
0006805381.tif 000004
【００３５】
後に登場する表１３は、各実施例１〜４の条件式（１）〜（６）で規定したパラメータに対応する値を示す。
【００３６】
実施例１の撮像レンズＬＡの球面収差、像面湾曲、歪曲収差を図２に示す。なお、図の像面湾曲のＳはサジタル像面に対する像面湾曲、Ｔはタンジェンシャル像面に対する像面湾曲であり、実施例２〜４においても同様である。実施例１の撮像レンズＬＡは、２ω＝８１．９１°、ＴＴＬ／ＩＨ＝１．２９９と広角、低背で図２に示すように、良好な光学特性を有していることがわかる。
【００３７】
（実施例２）
図３は、実施例２の撮像レンズＬＡの配置を示す構成図である。実施例２の撮像レンズＬＡを構成する第１レンズＬ１〜第８レンズＬ８のそれぞれの物体側及び像面側の曲率半径Ｒ、レンズ中心厚又はレンズ間距離ｄ、屈折率ｎｄ、アッベ数νを表４に、円錐係数ｋ、非球面係数を表５に、２ω、Ｆｎｏ、ｆ、ｆ１、ｆ２、ｆ３、ｆ４、ｆ５、ｆ６、ｆ７、ｆ８、ＴＴＬ、ＩＨを表６に示す。
【００３８】
【表４】
0006805381.tif 000005
【００３９】
【表５】
0006805381.tif 000006
【００４０】
【表６】
0006805381.tif 000007
【００４１】
実施例２は、表１３に示すように、条件式（１）〜（６）を満足する。
【００４２】
実施例２の撮像レンズＬＡの球面収差、像面湾曲、歪曲収差を図４に示す。実施例２の撮像レンズＬＡは、２ω＝８３．７８°、ＴＴＬ／ＩＨ＝１．２９９と広角、低背で図４に示すように、良好な光学特性を有していることがわかる。
【００４３】
（実施例３）
図５は、実施例３の撮像レンズＬＡの配置を示す構成図である。実施例３の撮像レンズＬＡを構成する第１レンズＬ１〜第８レンズＬ８のそれぞれの物体側及び像面側の曲率半径Ｒ、レンズ中心厚又はレンズ間距離ｄ、屈折率ｎｄ、アッベ数νを表７に、円錐係数ｋ、非球面係数を表８に、２ω、Ｆｎｏ、ｆ、ｆ１、ｆ２、ｆ３、ｆ４、ｆ５、ｆ６、ｆ７、ｆ８、ＴＴＬ、ＩＨを表９に示す。
【００４４】
【表７】
0006805381.tif 000008
【００４５】
【表８】
0006805381.tif 000009
【００４６】
【表９】
0006805381.tif 000010
【００４７】
実施例３は、表１３に示すように、条件式（１）〜（６）を満足する。
【００４８】
実施例３の撮像レンズＬＡの球面収差、像面湾曲、歪曲収差を図６に示す。実施例３の撮像レンズＬＡは、２ω＝８５．５０°、ＴＴＬ／ＩＨ＝１．３３９と広角、低背で図６に示すように、良好な光学特性を有していることがわかる。
【００４９】
（実施例４）
図７は、実施例４の撮像レンズＬＡの配置を示す構成図である。実施例４の撮像レンズＬＡを構成する第１レンズＬ１〜第８レンズＬ８のそれぞれの物体側及び像面側の曲率半径Ｒ、レンズ中心厚又はレンズ間距離ｄ、屈折率ｎｄ、アッベ数νを表１０に、円錐係数ｋ、非球面係数を表１１に、２ω、Ｆｎｏ、ｆ、ｆ１、ｆ２、ｆ３、ｆ４、ｆ５、ｆ６、ｆ７、ｆ８、ＴＴＬ、ＩＨを表１２に示す。
【００５０】
【表１０】
0006805381.tif 000011
【００５１】
【表１１】
0006805381.tif 000012
【００５２】
【表１２】
0006805381.tif 000013
【００５３】
実施例４は、表１３に示すように、条件式（１）〜（６）を満足する。
【００５４】
実施例４の撮像レンズＬＡの球面収差、像面湾曲、歪曲収差を図８に示す。実施例４の撮像レンズＬＡは、２ω＝８５．９７°、ＴＴＬ／ＩＨ＝１．２４７と広角、低背で図８に示すように、良好な光学特性を有していることがわかる。
【００５５】
表１３に、実施例１〜４の条件式（１）〜（６）で規定したパラメータに対応する値を示す。
【００５６】
【表１３】
0006805381.tif 000014
【符号の説明】
【００５７】
ＬＡ    ：撮像レンズ
Ｌ１    ：第１レンズ
Ｌ２    ：第２レンズ
Ｌ３    ：第３レンズ
Ｌ４    ：第４レンズ
Ｌ５    ：第５レンズ
Ｌ６    ：第６レンズ
Ｌ７    ：第７レンズ
Ｌ８    ：第８レンズ
ＧＦ    ：ガラス平板
Ｒ１    ：第１レンズＬ１の物体側面の曲率半径
Ｒ２    ：第１レンズＬ１の像面側面の曲率半径
Ｒ３    ：第２レンズＬ２の物体側面の曲率半径
Ｒ４    ：第２レンズＬ２の像面側面の曲率半径
Ｒ５    ：第３レンズＬ３の物体側面の曲率半径
Ｒ６    ：第３レンズＬ３の像面側面の曲率半径
Ｒ７    ：第４レンズＬ４の物体側面の曲率半径
Ｒ８    ：第４レンズＬ４の像面側面の曲率半径
Ｒ９    ：第５レンズＬ５の物体側面の曲率半径
Ｒ１０  ：第５レンズＬ５の像面側面の曲率半径
Ｒ１１  ：第６レンズＬ６の物体側面の曲率半径
Ｒ１２  ：第６レンズＬ６の像面側面の曲率半径
Ｒ１３  ：第７レンズＬ７の物体側面の曲率半径
Ｒ１４  ：第７レンズＬ７の像面側面の曲率半径
Ｒ１５  ：第８レンズＬ８の物体側面の曲率半径
Ｒ１６  ：第８レンズＬ８の像面側面の曲率半径
Ｒ１７  ：ガラス平板ＧＦの物体側面の曲率半径
Ｒ１８  ：ガラス平板ＧＦの像面側面の曲率半径
ｄ０    ：開口絞りＳ１から第１レンズＬ１の物体側面までの軸上距離
ｄ１    ：第１レンズＬ１の中心厚
ｄ２    ：第１レンズＬ１の像面側面から第２レンズＬ２の物体側面までの軸上距離
ｄ３    ：第２レンズＬ２の中心厚
ｄ４    ：第２レンズＬ２の像面側面から第３レンズＬ３の物体側面までの軸上距離
ｄ５    ：第３レンズＬ３の中心厚
ｄ６    ：第３レンズＬ３の像面側面から第４レンズＬ４の物体側面までの軸上距離
ｄ７    ：第４レンズＬ４の中心厚
ｄ８    ：第４レンズＬ４の像面側面から第５レンズＬ５の物体側面までの軸上距離
ｄ９    ：第５レンズＬ５の中心厚
ｄ１０  ：第５レンズＬ５の像面側面から第６レンズＬ６の物体側面までの軸上距離
ｄ１１  ：第６レンズＬ６の中心厚
ｄ１２  ：第６レンズＬ６の像面側面から第７レンズＬ７の物体側面までの軸上距離
ｄ１３  ：第７レンズＬ７の中心厚
ｄ１４  ：第７レンズＬ７の像面側面から第８レンズＬ８の物体側面までの軸上距離
ｄ１５  ：第８レンズＬ８の中心厚
ｄ１６  ：第８レンズＬ８の像面側面からガラス平板ＧＦの物体側面までの軸上距離
ｄ１７  ：ガラス平板ＧＦの中心厚
ｄ１８  ：ガラス平板ＧＦの像面側面から像面までの軸上距離
【要約】      （修正有）【課題】低背、広角で、且つ、良好な光学特性を有する８枚のレンズで構成される撮像レンズの提供。【解決手段】物体側から順に、正の屈折力を有する第１レンズＬ１、正の屈折力を有する第２レンズＬ２、負の屈折力を有する第３レンズＬ３、正の屈折力を有する第４レンズＬ４、負の屈折力を有する第５レンズＬ５、正の屈折力を有する第６レンズＬ６、正又は負の屈折力を有する第７レンズＬ７、負の屈折力を有する第８レンズＬ８が配置され、所定の条件式を満足することを特徴とする撮像レンズ。【選択図】図１【図１】
0006805381.tif 000015
【図２】
0006805381.tif 000016
【図３】
0006805381.tif 000017
【図４】
0006805381.tif 000018
【図５】
0006805381.tif 000019
【図６】
0006805381.tif 000020
【図７】
0006805381.tif 000021
【図８】
0006805381.tif 000022